(57)【要約】  ランダムアクセス手順を実行するランダムアクセス手順を実行する基地局装置であって、端末装置に対して、前記ランダムアクセス手順に使用する無線リソースの一部又は全部である共用無線リソースでのスケジューリングリクエストの送信許可を通知する通知部と、前記端末装置から前記共用無線リソースで送信されたスケジューリングリクエストを受信する受信部と、を有する。
2020136817.tif 000002
【特許請求の範囲】
【請求項１】
ランダムアクセス手順を実行する基地局装置であって、
端末装置に対して、前記ランダムアクセス手順に使用する無線リソースの一部又は全部である共用無線リソースでのスケジューリングリクエストの送信許可を通知する通知部と、
前記端末装置から前記共用無線リソースで送信されたスケジューリングリクエストを受信する受信部と、
を有する基地局装置。
【請求項２】
前記スケジューリングリクエストは、前記端末装置から前記基地局装置方向の通信に関する上り制御情報が送信される上り制御情報フォーマットを用いて送信される
請求項１記載の基地局装置。
【請求項３】
前記上り制御情報フォーマットは、PUCCH（Physical Uplink Control Channel）を含む
請求項２記載の基地局装置。
【請求項４】
前記スケジューリングリクエストは、前記ランダムアクセス手順において、前記端末装置から前記基地局装置に送信されるランダムアクセス手順フォーマットを用いて送信される
請求項１記載の基地局装置。
【請求項５】
前記ランダムアクセス手順フォーマットは、前記ランダムアクセス手順に使用されるRACH（Random Access Channel）フォーマットを含む
請求項４記載の基地局装置。
【請求項６】
さらに、前記スケジューリングリクエストを受信した後、前記基地局装置から前記端末装置方向の通信に関する下り制御情報を用いて、前記スケジューリングリクエストに対する応答を送信する応答部を有する
請求項１記載の基地局装置。
【請求項７】
前記下り制御情報は、PDCCH（Physical Downlink Control Channel）を含む
請求項６記載の基地局装置。
【請求項８】
前記共用無線リソースにて送信されるスケジューリングリクエストに適用するルート系列の長さ、サブキャリア間隔、及び占有帯域幅は、前記ランダムアクセス手順に使用する無線リソースに適用するルート系列の長さ、サブキャリア間隔、占有帯域幅と同じである
請求項１記載の基地局装置。
【請求項９】
前記共用無線リソースにて送信されるスケジューリングリクエストに適用するサイクリックシフト量は、前記ランダムアクセス手順に使用する無線リソースに適用するサイクリックシフト量より小さい
請求項１又は８記載の基地局装置。
【請求項１０】
前記端末装置は、前記スケジューリングリクエストの送信または前記ランダムアクセス手順における信号を送信する前に、所定通信帯域の使用状況を確認する
請求項１記載の基地局装置。
【請求項１１】
前記受信部は、前記スケジューリングリクエストを受信した後、前記スケジューリングリクエストに関する付帯情報を受信する
請求項１記載の基地局装置。
【請求項１２】
付帯情報は、前記スケジューリングリクエストの対象データの種別及びデータ量の少なくともいずれか一方を含む
請求項１１記載の基地局装置。
【請求項１３】
前記付帯情報は、前記共用無線リソースの直後の無線リソースを使用して送信される
請求項１１記載の基地局装置。
【請求項１４】
ランダムアクセス手順を実行するランダムアクセス手順を実行する端末装置であって、
基地局装置から、前記ランダムアクセス手順に使用する無線リソースの一部又は全部である共用無線リソースを使用し、スケジューリングリクエストを送信すること許可されることの通知を受信する端末受信部と、
前記基地局装置にデータを送信するとき、前記共用無線リソースで前記スケジューリングリクエストを送信する端末送信部と、
を有する端末装置。
【請求項１５】
端末装置と基地局装置を有し、前記端末装置と前記基地局装置間でランダムアクセス手順を実行する通信システムであって、
前記基地局装置は、前記端末装置に対して、前記ランダムアクセス手順に使用する無線リソースの一部又は全部である共用無線リソースでのスケジューリングリクエストの送信許可を通知し、
前記端末装置は、前記通知を受信し、前記基地局装置にデータを送信するとき、前記共用無線リソースで前記スケジューリングリクエストを送信し、
前記基地局装置は、前記共用無線リソースで送信された前記スケジューリングリクエストを受信する
通信システム。
【発明の詳細な説明】
【技術分野】
【０００１】
本発明は、基地局装置、端末装置、及び通信システムに関する。
【背景技術】
【０００２】
現在の通信ネットワークは、モバイル端末（スマートフォンやフューチャーホン）のトラフィックが通信ネットワークのリソースの大半を占めている。また、モバイル端末が使用するトラフィックは、今後も拡大していく傾向にある。【０００３】
一方で、通信ネットワークは、IoT（Internet of things）サービス（例えば、交通システム、スマートメータ、装置等の監視システム）の展開にあわせて、多様な要求条件を持つサービスに対応することが求められている。そのため、第５世代移動体通信（５Gまたは、NR（New  Radio））の通信規格では、第４世代移動体通信（4G）の標準技術（例えば、非特許文献１〜１２）に加えて、さらなる高データ信号レート化、大容量化、低遅延化を実現する技術が求められている。なお、第５世代通信規格については、３GPPの作業部会（例えば、TSG−RAN  WG１、TSG−RAN  WG２等）で技術検討が進められており、2017年12月に、初版がリリースされている（非特許文献１３〜３９）。【０００４】
上述した多種多様なサービスに対応するため、5Gにおいては、eMBB（Enhanced  Mobile  BroadBand）、Massive  MTC（Machine  Type  Communications)、およびURLLC（Ultra−Reliable and  Low  Latency  Communication）に分類される多くのユースケースのサポートを想定している。【０００５】
５Ｇに関する技術については、以下の先行技術文献に記載されている。
【先行技術文献】
【非特許文献】
【０００６】
【非特許文献１】3GPP  TS  36.133  V15.3.0（2018-06）
【非特許文献２】3GPP  TS  36.211  V15.2.0（2018-06）
【非特許文献３】3GPP  TS  36.212  V15.2.1（2018-07）
【非特許文献４】3GPP  TS  36.213  V15.2.0（2018-06）
【非特許文献５】3GPP  TS  36.300  V15.2.0（2018-06）
【非特許文献６】3GPP  TS  36.321  V15.2.0（2018-07）
【非特許文献７】3GPP  TS  36.322  V15.1.0（2018-07）
【非特許文献８】3GPP  TS  36.323  V15.0.0（2018-07）
【非特許文献９】3GPP  TS  36.331  V15.2.2（2018-06）
【非特許文献１０】3GPP  TS  36.413  V15.2.0（2018-06）
【非特許文献１１】3GPP  TS  36.423  V15.2.0（2018-06）
【非特許文献１２】3GPP  TS  36.425  V15.0.0（2018-06）
【非特許文献１３】3GPP  TS  37.340  V15.2.0（2018-06）
【非特許文献１４】3GPP  TS  38.201  V15.0.0（2017-12）
【非特許文献１５】3GPP  TS  38.202  V15.2.0（2018-06）
【非特許文献１６】3GPP  TS  38.211  V15.2.0（2018-06）
【非特許文献１７】3GPP  TS  38.212  V15.2.0（2018-06）
【非特許文献１８】3GPP  TS  38.213  V15.2.0（2018-06）
【非特許文献１９】3GPP  TS  38.214  V15.2.0（2018-06）
【非特許文献２０】3GPP  TS  38.215  V15.2.0（2018-06）
【非特許文献２１】3GPP  TS  38.300  V15.2.0（2018-06）
【非特許文献２２】3GPP  TS  38.321  V15.2.0（2018-06）
【非特許文献２３】3GPP  TS  38.322  V15.2.0（2018-06）
【非特許文献２４】3GPP  TS  38.323  V15.2.0（2018-06）
【非特許文献２５】3GPP  TS  38.331  V15.2.1（2018-06）
【非特許文献２６】3GPP  TS  38.401  V15.2.0（2018-06）
【非特許文献２７】3GPP  TS  38.410  V15.0.0（2018-06）
【非特許文献２８】3GPP  TS  38.413  V15.0.0（2018-06）
【非特許文献２９】3GPP  TS  38.420  V15.0.0（2018-06）
【非特許文献３０】3GPP  TS  38.423  V15.0.0（2018-06）
【非特許文献３１】3GPP  TS  38.470  V15.2.0（2018-06）
【非特許文献３２】3GPP  TS  38.473  V15.2.1（2018-07）
【非特許文献３３】3GPP  TR  38.801  V14.0.0（2017-03）
【非特許文献３４】3GPP  TR  38.802  V14.2.0（2017-09）
【非特許文献３５】3GPP  TR  38.803  V14.2.0（2017-09）
【非特許文献３６】3GPP  TR  38.804  V14.0.0（2017-03）
【非特許文献３７】3GPP  TR  38.900  V15.0.0（2018-06）
【非特許文献３８】3GPP  TR  38.912  V15.0.0（2018-06）
【非特許文献３９】3GPP  TR  38.913  V15.0.0（2018-06）
【非特許文献４０】3GPP  TS  37.213  V15.0.0（2018-06）
【発明の概要】
【発明が解決しようとする課題】
【０００７】
5Gで想定されるサービスに対応するために、無線通信システムにおいては、様々な用途の無線リソースやチャネルが設けられている。しかし、それらの無線リソースやチャネルは、特定の用途専用である場合があり、効率的に使用できない場合がある。【０００８】
そこで、一つの側面では、無線リソースを効率的に使用することができる基地局装置、端末装置、及び通信システムを提供する。
【課題を解決するための手段】
【０００９】
ランダムアクセス手順を実行する基地局装置であって、端末装置に対して、前記ランダムアクセス手順に使用する無線リソースの一部又は全部である共用無線リソースでのスケジューリングリクエストの送信許可を通知する通知部と、前記端末装置から前記共用無線リソースで送信されたスケジューリングリクエストを受信する受信部と、を有する。
【発明の効果】
【００１０】
一つの側面では、無線リソースを効率的に使用することができる。
【図面の簡単な説明】
【００１１】
【図１】図１は、通信システム１０の構成例を示す図である。
【図２】図２は、ランダムアクセス手順のシーケンスの例を示す図である。
【図３】図３は、基地局装置２００の構成例を示す図である。
【図４】図４は、端末装置１００の構成例を示す図である。
【図５】図５は、端末装置１００が基地局装置２００にデータを送信するシーケンス（パターン１）の例を示す図である。
【図６】図６は、端末装置１００が基地局装置２００にデータを送信するシーケンス（パターン２）の例を示す図である。
【図７】図７は、端末装置１００が基地局装置２００にデータを送信するシーケンス（パターン３）の例を示す図である。
【図８】図８は、共用フォーマットの占有帯域幅に関する例を示す図である。
【図９】図９は、共用フォーマットに基づいた信号の生成の例を示す図である。
【図１０】図１０は、基地局装置２００における受信処理の例を示す図である。
【図１１】図１１は、共用無線リソースの使用用途の例を示す図である。
【図１２】図１２は、共用無線リソースの使用用途の例を示す図である。
【図１３】図１３は、端末装置１００が基地局装置２００にデータを送信するシーケンスの例を示す図である。
【図１４】図１４は、端末装置１００が基地局装置２００にデータを送信するシーケンスの例を示す図である。
【図１５】図１５は、SRの付帯情報を送信する無線リソースの例を示す図である。
【発明を実施するための形態】
【００１２】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。
【００１３】
［第１の実施の形態］
第１の実施の形態について説明する。
【００１４】
＜無線通信システムの構成例＞
図１は、通信システム１０の構成例を示す図である。通信システム１０は、端末装置１００及び基地局装置２００を有する。通信システム１０は、例えば、５Ｇに準拠した無線通信を行う無線通信システムである。この場合、基地局装置２００は、例えば、ｇＮｏｄｅＢである。また、端末装置１００は、基地局装置２００と、あるいは基地局装置２００を介して他の通信装置と通信を行う装置であって、例えば、スマートフォンやタブレット端末などの移動体通信端末である。
【００１５】
通信システム１０においては、基地局装置２００と端末装置１００が通信を開始するに当たって、端末装置１００が最初に送信するためのチャネルが用意されている。このチャネルを、例えば、ランダムアクセスチャネル（RACH：Random Access Channel）と呼び、RACHによる通信開始手順をランダムアクセス手順（Random Access Procedure）と呼ぶ場合がある。RACHは、端末装置１００が送信した無線信号を基地局装置２００が識別する情報として、ランダムアクセスプリアンブル（又はプリアンブル）と呼ばれる情報が含まれている。このプリアンブルにより、基地局装置２００は、端末装置１００を識別することができる。RACHを送信する無線リソースをPRACH（Physical Random Access Channel）と呼ぶ場合がある。
【００１６】
図２は、ランダムアクセス手順のシーケンスの例を示す図である。ランダムアクセス手順は、例えば、端末装置１００が基地局装置２００との接続を確立するための初期アクセス（Initial Access）、データ信号発生、及びハンドオーバ時の同期を確立する場合に、実施される。
【００１７】
基地局装置２００は、PBCH（Physical Broadcast Channel）やPDSCH（Physical Downlink Shared Channel）を使用し、RRC設定に関する情報としてRACH-configを送信する（Ｓ１００）。RACH-configは、RACH又はPRACHに関する情報であり、例えば、対応する端末装置１００が使用する(あるいは使用が許可された)プリアンブルの識別番号（プリアンブル番号）などが含まれる。端末装置１００は、RACH-configを受信することで、自装置が使用可能なRACH又はPRACHに関する情報を取得する。
【００１８】
端末装置１００は、例えば、上りリンク（UpLink）データが発生したとき、ランダムアクセス手順を実行する。端末装置１００は、基地局装置２００により設定された（使用が許可された）プリアンブルから１つを選択し、PRACHを使用し、PRACH preambleを基地局装置２００に送信する（Ｓ１０１）。
【００１９】
そして、端末装置１００は、例えば、RACH-configで設定された、Ra（Random Access）-responseWindowにおいて、ランダムアクセス用の識別子であるRA（Random Access）-RNTI（Radio Network Temporary Identifier）により特定されるPDCCH（Physical Downlink Control Channel）を受信するのを待ち受ける。
【００２０】
一方、基地局装置２００は、端末装置１００からのPRACH  preambleを受信すると（Ｓ１０１）、端末装置１００に対応するRA-RNTIを含むPDCCHを、端末装置１００に送信する（Ｓ１０２）。そして、端末装置１００に対応する無線リソースの割り当てメッセージであるUL grantを、RA-RNTIで指定したPDSCHで送信する（Ｓ１０３）。
【００２１】
端末装置１００は、RA-RNTIを含むPDCCHを受信し（Ｓ１０２）、受信したRA-RNTIで指定された、UL grantを含むPDSCHを受信する（Ｓ１０３）。
【００２２】
そして、端末装置１００は、受信したUL grantに従い、PUSCH （Physical Uplink Shared Channel）を使用し、端末装置１００に関する情報や、送信するUL（UpLink）データを、基地局装置２００に送信する（Ｓ１０４）。これにより、一連のランダムアクセス手順を終了する。
【００２３】
また、通信システム１０において、基地局装置２００または端末装置１００の何れかまたは両方が、免許が不要なUnlicensed bandを使用して送信を行う場合がある。基地局装置２００または端末装置１００は、Unlicensed bandを使用する場合、LBT(Listen-before-talk)を行い、Unlicensed bandで他の端末装置１００や通信装置が信号を送信しているか否かを確認する。基地局装置２００または端末装置１００は、LBTにより、所定通信帯域の使用状況（例えばノイズ比、受信電力など）を測定し、他の装置により使用されていないUnlicensed bandを使用する。
【００２４】
さらに、通信システム１０において、端末装置１００は、送信するデータ（ULデータ）が新たに発生した場合、無線リソースに関するスケジューリングリクエスト（SR: Scheduling Request）を基地局装置２００に送信する。端末装置１００は、SRに対する応答として、UL grantを基地局装置２００から受信し、受信したUL grantで指示された無線リソースを使用し、データを基地局装置２００に送信する。なお、非特許文献１６において、端末装置１００は、スケジューリングリクエストと他の信号を同時に送信しない場合、PUCCH（Physical Uplink Control Channel）format 0  または、１が使用される。
【００２５】
第１の実施の形態において、端末装置１００は、例えば、SRを、PRACHを使用して基地局装置２００に送信する場合がある。第１の実施の形態において、端末装置１００は、例えば、ランダムアクセス手順による初期アクセスが完了し接続が確立された基地局装置２００との間で、PRACHの一部又は全部を、SRを送信するための無線リソースとして使用する。一方、第１の実施の形態において、基地局装置２００は、PRACHの一部又は全部を、ある端末装置１００がSRを送信するための無線リソースとして割り当て、端末装置１００に通知し、当該割り当てられたPRACHを、SRが送信される無線リソースとしてとして受信する。これにより、通信システム１０は、PRACHの一部又は全部を、SR送信用の無線リソースとして使用することができ、無線リソースの効率的な使用が可能となる。以下、RACHを送信するPRACHであって、SRの送信も共用で行うことが許可されたPRACHを、共用無線リソースと呼ぶ場合がある。
【００２６】
＜基地局装置の構成例＞
図３は、基地局装置２００の構成例を示す図である。基地局装置２００は、例えば、５GにおけるｇNodeBである。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。基地局装置２００は、例えば、端末装置１００と無線接続し、端末装置１００とデータを送受信する。また、基地局装置２００は、端末装置１００から受信したデータを送信先の通信装置またはネットワークに送信したり、他の通信装置やネットワークから受信したデータを端末装置１００に送信したりする、端末装置１００が実施する通信の中継装置である。
【００２７】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１、ランダムアクセス手順制御プログラム２２２、及び共用無線リソース制御プログラム２２３を記憶する。
【００２８】
メモリ２３０は、ストレージ２２０に記憶されているプログラムをロードする領域である。また、メモリ２３０は、プログラムがデータを記憶する領域としても使用される。
【００２９】
ＮＩＣ２４０は、インターネットやイントラネットなどのネットワーク（図示しない）と接続するネットワークインターフェースである。基地局装置２００は、ＮＩＣ２４０を介して、ネットワークに接続する通信装置と通信する。
【００３０】
ＲＦ回路２５０は、端末装置１００と無線接続する装置である。ＲＦ回路２５０は、例えば、アンテナ２５１を有する。
【００３１】
ＣＰＵ２１０は、ストレージ２２０に記憶されているプログラムを、メモリ２３０にロードし、ロードしたプログラムを実行し、各処理を実現するプロセッサ又はコンピュータである。
【００３２】
ＣＰＵ２１０は、通信制御プログラム２２１を実行することで、通信制御処理を行う。通信制御処理は、端末装置１００との間の無線通信を制御する処理である。
【００３３】
ＣＰＵ２１０は、ランダムアクセス手順制御プログラム２２２を実行することで、ランダムアクセス手順処理を行う。ランダムアクセス手順処理は、ランダムアクセス手順を実行する処理であり、例えば、図２におけるランダムアクセス手順のシーケンスを制御する処理である。
【００３４】
ＣＰＵ２１０は、共用無線リソース制御プログラム２２３を実行することで、応答部、受信部、及び通知部を構築し、共用無線リソース制御処理を行う。共用無線リソース制御処理は、共用無線リソースに関する制御を行う処理である。基地局装置２００は、共用無線リソース制御処理において、どの無線リソースを共用無線リソースとするか決定したり、共用無線リソースに関する情報（制御情報）を端末装置１００に通知したりする。また、基地局装置２００は、共用無線リソース制御処理において、共用無線リソースでSRを受信する。なお、基地局装置２００は、SRを受信した後、SRに対する応答（UL grant）を端末装置１００に送信する。
【００３５】
また、ＣＰＵ２１０は、共用無線リソース制御プログラム２２３が有する共用無線リソース通知モジュール２２３１を実行することで、通知部を構築し、共用無線リソース通知処理を行う。共用無線リソース通知処理は、共用無線リソースに関する制御情報を端末装置１００に通知する処理である。
【００３６】
さらに、ＣＰＵ２１０は、共用無線リソース制御プログラム２２３が有する共用無線リソース受信モジュール２２３２を実行することで、受信部を構築し、共用無線リソース受信処理を行う。共用無線リソース受信処理は、共用無線リソースで送信されたSRを受信する処理である。
【００３７】
＜端末装置の構成例＞
図４は、端末装置１００の構成例を示す図である。端末装置１００は、例えば、基地局装置２００と無線通信を行う、携帯端末装置である。端末装置１００は、ＣＰＵ１１０、ストレージ１２０、ＤＲＡＭなどのメモリ１３０、及びＲＦ回路１５０を有する。端末装置１００は、例えば、基地局装置２００と無線接続し、基地局装置２００とデータを送受信する通信装置である。
【００３８】
ストレージ１２０は、プログラムやデータを記憶する、フラッシュメモリ、ＨＤＤ、又はＳＳＤなどの補助記憶装置である。ストレージ１２０は、通信プログラム１２１、ランダムアクセス手順プログラム１２２、及び共用無線リソース関連プログラム１２３を記憶する。
【００３９】
メモリ１３０は、ストレージ１２０に記憶されているプログラムをロードする領域である。また、メモリ１３０は、プログラムがデータを記憶する領域としても使用される。
【００４０】
ＲＦ回路１５０は、基地局装置２００と無線接続する装置である。ＲＦ回路１５０は、例えば、アンテナ１５１を有する。
【００４１】
ＣＰＵ１１０は、ストレージ１２０に記憶されているプログラムを、メモリ１３０にロードし、ロードしたプログラムを実行し、各処理を実現するプロセッサ又はコンピュータである。
【００４２】
ＣＰＵ１１０は、通信プログラム１２１を実行することで、通信処理を行う。通信処理は、基地局装置２００との間の無線通信を行う処理である。
【００４３】
ＣＰＵ１１０は、ランダムアクセス手順プログラム１２２を実行することで、ランダムアクセス手順処理を行う。ランダムアクセス手順処理は、ランダムアクセス手順を実行する処理であり、例えば、基地局装置２００が行うランダムアクセス手順制御処理により制御される処理である。
【００４４】
ＣＰＵ１１０は、共用無線リソース関連プログラム１２３を実行することで、端末受信部及び端末送信部を構築し、共用無線リソース関連処理を行う。共用無線リソース関連処理は、共用無線リソースの使用及び許可の通知を受信する処理である。端末装置１００は、共用無線リソース関連処理において、使用が許可された共用無線リソースの関する情報を取得したり、共用無線リソースを使用してSRを送信したりする。
【００４５】
また、ＣＰＵ１１０は、共用無線リソース関連プログラム１２３が有する共用無線リソース通知受信モジュール１２３１を実行することで、端末受信部を構築し、共用無線リソース通知受信処理を行う。共用無線リソース通知受信処理は、共用無線リソースに関する制御情報を基地局装置２００から受信する処理である。
【００４６】
さらに、ＣＰＵ１１０は、共用無線リソース関連プログラム１２３が有する共用無線リソース送信モジュール１２３２を実行することで、端末送信部を構築し、共用無線リソース送信処理を行う。共用無線リソース送信処理は、共用無線リソースを使用したSRを基地局装置２００に送信する処理である。
【００４７】
＜データ送信シーケンス＞
以下に、データ送信時のシーケンスの例を示す。なお、シーケンスの例は、パターン１からパターン３の３通りであり、それぞれについて以下に説明する。
【００４８】
＜１．パターン１＞
図５は、端末装置１００が基地局装置２００にデータを送信するシーケンス（パターン１）の例を示す図である。なお、図５は、例えば、端末装置１００と基地局装置２００間において、接続が確立された後のシーケンスである。
【００４９】
基地局装置２００は、pucch-configを含むPDSCHを端末装置１００に送信する（Ｓ２００）。pucch-configは、PUCCHに関する設定情報であり、例えば、端末装置１００がSRを含むPUCCHを送信することを許可された共用無線リソースであるPRACH（RACH）に関する情報を含む。また、pucch-configは、例えば、SRを送信するPUCCHフォーマット（上り制御情報フォーマット）が、RACHプリアンブルと同じ長さの系列であって、同じ大きさの無線リソースを用いることの通知が含まれる。端末装置１００は、pucch-configを受信することにより、共用無線リソース（SRを含むPUCCHを送信してもよいPRACH）を認識することができる。
【００５０】
端末装置１００は、例えばULデータが発生すると、受信したpucch-configに従い、共用無線リソースを使用し、SRを含むPUCCH（以降、PUCCH（SR）と表現する場合がある）を基地局装置２００に送信する（Ｓ２０１）。なお、端末装置１００は、SRに対する応答（UL grant）を受信しない場合、SRを再送する（Ｓ２０２）。図５において、SRの再送は1回であるが、例えば、設定された最大送信回数までSRを再送してもよい。端末装置１００は、最大送信回数だけSRを送信しても応答を受信しない場合、例えば、pucch-configでPUCCH（SR）での使用を許可されたPRACHをリリースする。
【００５１】
基地局装置２００は、PRACHのリソース（共用無線リソース）でPUCCH（SR）を受信すると、端末装置１００がデータを送信するためのPUSCHを割り当てるUL grantを、PDCCH（下り制御情報）に含め、端末装置１００に送信する（Ｓ２０３）。なお、PDCCHには、端末装置１００がUL grantを識別するための識別子であるC-RNTI（Cell-Radio. Network Temporary Identifier）が含まれる。
【００５２】
端末装置１００は、自装置宛てのUL grantを受信すると（Ｓ２０３）、受信したUL grantに従い、PUSCHを使用してデータを基地局装置２００に送信する（Ｓ２０４）。
【００５３】
＜２．パターン２＞
図６は、端末装置１００が基地局装置２００にデータを送信するシーケンス（パターン２）の例を示す図である。なお、図６は、例えば、端末装置１００と基地局装置２００間において、接続が確立された後のシーケンスである。
【００５４】
基地局装置２００は、pucch-configを含むPDSCHを端末装置１００に送信する（Ｓ３００）。pucch-configは、例えば、パターン１と同様の情報を含む。また、pucch-configは、例えば、事前に設定された（割り当てられた）無線リソースに関する情報を含むConfiguredGrantConfigを、PDSCHで送信することを通知する情報を含んでもよい。
【００５５】
そして、基地局装置２００は、ConfiguredGrantConfigを含むPDSCHを端末装置１００に送信する（Ｓ３０１）。端末装置１００は、ConfiguredGrantConfigを取得することで、使用を許可された（あるいは使用を許可される候補である）無線リソースに関する情報を取得する。
【００５６】
端末装置１００は、例えばULデータが発生すると、受信したpucch-configに従い、共用無線リソースを使用して、PUCCH（SR）を基地局装置２００に送信する（Ｓ３０２）。なお、端末装置１００は、SRに対する応答（UL grant）を受信しない場合、SRを再送してもよい（Ｓ３０３）。
【００５７】
基地局装置２００は、PRACHのリソース（共用無線リソース）でPUCCH（SR）を受信すると、端末装置１００に使用を許可する無線リソース（PUSCH）に関する情報を含むActivation DCI（Downlink Control Information）を、PDCCHに含め、端末装置１００に送信する（Ｓ３０４）。なお、PDCCHには、端末装置１００がActivation DCI識別するための識別子であるCS-RNTIが含まれる。
【００５８】
端末装置１００は、自装置宛てのActivation DCIを受信すると（Ｓ３０４）、受信したActivation DCIに従い、PUSCHを使用してデータを基地局装置２００に送信する（Ｓ３０５）。
【００５９】
データ送信のパターン１及び２において、通信システム１０は、ランダムアクセス手順に使用するための無線リソース（PRACH、RACH）を、SRを送信に使用することで、無線リソースを効率的に使用することができる。
【００６０】
＜３．パターン３＞
図７は、端末装置１００が基地局装置２００にデータを送信するシーケンス（パターン３）の例を示す図である。なお、図７は、例えば、端末装置１００と基地局装置２００間において、接続が確立された後のシーケンスである。
【００６１】
データ送信のシーケンスのパターン１，２において、端末装置１００は、共用無線リソース（PRACH）を使用して、PUCCH（SR）を送信する。一方、パターン３において、端末装置１００は、SRを含むPRACH preamble（以降、PRACH preamble（SR）と呼ぶ場合がある）を、基地局装置２００に送信する。通信システム１０においては、SRを送信する共用無線リソースをcontention free RACH preambleとして定義する。そして、基地局装置２００は、ＲＲＣ設定により、端末装置１００に対して個別にSR用のpreambleを設定する。すなわち、通信システム１０では、端末装置１００がRACHを使用してSRを送信するための、RACH procedureを規定する。
【００６２】
基地局装置２００は、SR-configを含むPDSCHを端末装置１００に送信する（Ｓ４００）。SR-configは、例えば、端末装置１００がSRの送信を許可された共用無線リソースに関する情報を含む。端末装置１００は、SR-configを受信することで、SRの送信を行う共用無線リソースを認識する。
【００６３】
端末装置１００は、例えばULデータが発生すると、受信したSR-configに従い、共用無線リソースを使用して、規定されたRACHのフォーマット（ランダムアクセス手順フォーマット）で、PRACH preamble（SR）を基地局装置２００に送信する（Ｓ４０１）。なお、端末装置１００は、SRに対する応答（UL grant）を受信しない場合、SRを再送してもよい（図示しない）。
【００６４】
基地局装置２００は、PRACHのリソース（共用無線リソース）でSRを受信すると、端末装置１００がデータを送信するためのUL grant又はActivation DCIを、PDCCHに含め、端末装置１００に送信する（Ｓ４０２）。なお、PDCCHには、端末装置１００がUL grantを識別するためのC-RNTI、又は端末装置１００がActivation DCIを識別するためのCS-RNTIが含まれる。
【００６５】
端末装置１００は、自装置宛てのUL grant又はActivation DCIを受信すると（Ｓ４０２）、受信したUL grant又はActivation DCIに従い、PUSCHを使用してデータを基地局装置２００に送信する（Ｓ４０３）。
【００６６】
＜共用無線リソース＞
次に、共用無線リソースについて説明する。共用無線リソースは、ランダムアクセス手順におけるPRACHの一部又は全部であり、端末装置１００がSRを送信することが許可された無線リソースを示す。すなわち、SRを送信するPUCCHの無線リソースとPRACHの無線リソースを一元化し、同じ長さの系列、及び同じ帯域幅（占有帯域幅）の時間周波数リソースを使用する無線リソースとする。
【００６７】
通信システム１０において、共用無線リソースの構成を示す共用フォーマットを定義する。図８は、共用フォーマットの占有帯域幅に関する例を示す図である。例えば、SRを送信するPUCCH（例えばFormat０）は、１つのリソースブロック（RB）で定義される。また、例えば、PRACHは、６つのリソースブロックや１２のリソースブロックで定義される。そこで、例えば、図８において最大リソースブロックを使用する１２のリソースブロックで構成されるPRACHに適合する共用フォーマットを定義する。
【００６８】
なお、共用フォーマットの占有帯域幅を「２ＭＨｚ以上」としているのは、Unlicensed bandにおけるLBTを想定した場合の例である。例えば、将来的にLBTにおけるTalk（送信）の占有帯域幅が「２ＭＨｚ以上」と規定された場合、PRACHやPUCCHも「２ＭＨｚ以上」にする必要性がある場合がある。そのため、共用フォーマットを「２ＭＨｚ以上」としているが、LBTにおけるTalkの占有帯域幅によっては、数値は変動する場合があり、また、Licensed bandにおいては、特に占有帯域幅を限定しなくてもよい。
【００６９】
図９は、共用フォーマットに基づいた信号の生成の例を示す図である。共用無線リソースに適用するRACH PreambleとSR送信信号は、例えば、ルート系列の長さ、サブキャリア間隔、マッピングする時間周波数リソースの大きさを統一する。以下、系列名Ｘ、ルート系列名ｙ、サイクリックシフト量ｚの系列を、Ｘ（ｙ，ｚ）系列と表現する。
【００７０】
端末装置１００は、Ｐ（ｋ，０）系列（ＳＥ１）を、ｃだけサイクリックシフトし（Ｓ１０）、Ｐ（ｋ，ｃ）系列（ＳＥ２）を生成する。そして、端末装置１００は、生成したＰ（ｋ，ｃ）系列を、離散フーリエ変換（Discrete Fourier Transform：DFT）し、DFTした結果を周波数方向にマッピングし、さらに、マッピングした結果を逆離散フーリエ変換（Inverse Discrete Fourier Transform：IDFT）し、Ｑ（ｋ，ｃ）系列（ＳＥ３）を生成する（Ｓ１１）。なお、周波数方向へのマッピングは、連続的又は非連続的に行われる。例えば、リソースブロック内は複数の連続したサブキャリアによって構成され、リソースブロック間は離散的であっても良い。
【００７１】
なお、一つのルート系列から複数の系列を生成する方法として、サイクリックシフトの代わりに、ルート系列に直交系列を掛けるようにしても良い。また、Ｑ（ｋ，ｃ）系列（ＳＥ３）を生成する方法として、時間領域のルート系列を規定してサイクリックシフトしてからDFTするまでの処理の代わりに、周波数領域のルート系列を直接規定した上でサイクリックシフトを周波数領域の等価処理により実現しDFT処理を省くようにしても良い。
【００７２】
そして、端末装置１００は、１つ又は複数のＱ（ｋ，ｃ）系列でシーケンス区間を構成し、例えば、サイクリックプレフィクス（Cyclic Prefix：CP）を付与し、共用無線リソース（共用フォーマット）（Ｆ１）を生成する。
【００７３】
なお、共用無線リソースを、RACH用として使用するときと、SR用として使用するときに、時間長（シーケンス区間の長さ、シーケンスの繰り返し数）は、同じであっても、異なってもよい。
【００７４】
例えば、基地局装置２００が複数のビームにより送受信を行う場合、時間長は異なってもよい。端末装置１００から基地局装置２００への初期アクセスの場合、基地局装置２００においてRACH preambleに対して複数のビームで順次受信を試みる場合がある。この場合、試みるビーム数以上のシーケンスの繰り返し数が必要となる。しかし、一方で、SRを行う場合、端末装置１００は、既に基地局装置２００との間で無線接続が確立しているため、初期アクセスに比べ、少ないビーム数で受信が可能であり、シーケンスの繰り返し数が少なくなる。
【００７５】
また、RACHで使用する共用フォーマットと、SRで使用する共用フォーマットの、基本サイクリックシフト量は同じであっても、異なってもよい。例えば、SR用の系列サイクリックシフト量をRACH用と比べて小さくすることで、同一ルート系列ｋから生成されるＰ（ｋ，ｃ）系列の数を多くすることができる。すなわち、サイクリックシフト量を小さくすることで、多くのプリアンブルを生成することができる。SR用は、例えば、Timing advanceによって、基地局装置２００によるタイミング調整が行われているため、系列間のサイクリックシフト量を小さくしても、基地局装置２００で受信することができる。
【００７６】
図１０は、基地局装置２００における受信処理の例を示す図である。縦軸はCorrelation（相関値）であり、横軸はLag（時間）である。基地局装置２００は、例えば、受信信号について設定したルート系列による相関処理を行い、相関値を算出する。そして、基地局装置２００は、相関値が閾値以上である場合、端末装置１００から信号を受信したと認識する。図１０において、基地局装置２００は、相関値Ｍ１を検出することで、Ｐ（ｋａ，ｃ０）系列で受信したことを検出する。Ｐ（ｋａ，ｃ０）系列は、例えば、Preamble０（RACH）である。また、基地局装置２００は、相関値Ｍ３を検出することで、Ｐ（ｋａ，ｃ６）系列で受信したことを検出する。Ｐ（ｋａ，ｃ６）系列は、例えば、SRである。
【００７７】
一方、基地局装置２００は、相関値Ｍ２を検出するが、相関値Ｍ２が閾値より小さいため、信号を受信したと認識しない。
【００７８】
このように基地局装置２００は、相関処理を行った相関値と閾値とを比較することで、信号の受信を認識する。相関処理は、ルート系列ごとに実行されるため、ルート系列が多くなると、基地局装置２００の処理量も大きくなる。
【００７９】
上述したように、SR用のフォーマットでは、サイクリックシフト量を小さくすることができる。サイクリックシフト量が小さくなると、ある系列長で設定可能なPreambleの数（種類）が多くなる。なぜなら、Preambleの数は、系列長をサイクリックシフト量で除した数値であるためである。よって、例えば、通信システム１０において、設定するPreambleの数が規定されている場合、サイクリックシフト量を小さくすることで、１つのルート系列におけるPreambleの数を増加させ、少ないルート系列数で規定のPreambleの数を設定することができる。すなわち、サイクリックシフト量を小さくすることで、基地局装置２００の処理量を抑制することができる。
【００８０】
共用無線リソースは、例えば、PRACH用（RACHを送信するための無線リソース）として使用されてもよいし、PUCCH用（SRを含むPUCCHを送信する無線リソース）として使用されてもよいし、さらに、PRACH用及びPUCCH用を切り替えて使用されてもよい。
【００８１】
図１１は、共用無線リソースの使用用途の例を示す図である。基地局装置２００は、例えば、自装置に接続する端末装置１００が所定数より少ない場合、同じ時間周波数リソースに同じサイクリックシフト量で、PRACH用及びPUCCH用のどちらで使用してもよい共用無線リソース（Ｒ１）を配置する。
【００８２】
図１２は、共用無線リソースの使用用途の例を示す図である。基地局装置２００は、例えば、自装置に接続する端末装置１００が所定数以上である場合、PUCCH用の専用の共用無線リソース（Ｒ２）を配置する。なお、図１２においては、PUCCH用の専用であるが、PRACH用の専用であってもよい。
【００８３】
［第２の実施の形態］
次に、第２の実施の形態について説明する。第２の実施の形態では、端末装置１００は、SR送信時に、SRに付帯する情報を基地局装置２００に送信する。
【００８４】
＜データ送信シーケンス＞
以下に、データ送信時のシーケンスの例を示す。
【００８５】
図１３は、端末装置１００が基地局装置２００にデータを送信するシーケンスの例を示す図である。なお、特に説明がない場合、図１３における処理Ｓ２００、処理Ｓ２０１、及び処理Ｓ２０４は、図５における処理Ｓ２００、処理Ｓ２０１、及び処理Ｓ２０４と同様である。
【００８６】
端末装置１００は、PUCCH（SR）を基地局装置２００に送信したのち（Ｓ２０１）、UL grantを受信する前に、SRの付帯情報を含むPUSCHを、基地局装置２００に送信する（Ｓ５００）。SRの付帯情報は、例えば、バッファに蓄積されたSRの対象データ（SRの応答の受信に従い送信するデータ）の種別やデータ量を示すBSR（Buffer Status Report）を含む。また、基地局装置２００がSRの付帯情報を送信するためのPUSCH向けに複数の端末装置１００に同じ時間周波数リソースを割り当てる場合、SRの付帯情報は、例えば、C-RNTIなどの識別子を含んでもよい。基地局装置２００が各端末装置１００に一意にPUCCH（SR）とPUSCH（付帯情報）のリソース割り当てを行う場合、SRの付帯情報として、識別子は含まれなくてもよい。
【００８７】
基地局装置２００は、SRの付帯情報を取得すると（Ｓ５００）、受信したSRの付帯情報に基づき、無線リソースの割り当てを行う。基地局装置２００は、例えば、許容される遅延時間が短いデータである場合、できるだけ早いタイミングで基地局装置２００に送信することが可能な無線リソースを、端末装置１００に割り当てる。また、ConfiguredGrantConfigにより周期的な送信に利用可能なリソースを事前に設定しており、SRの付帯情報が周期的に発生されるデータを示している場合、事前設定したリソースを端末装置１００に割り当てる。
【００８８】
そして、基地局装置２００は、割り当てた無線リソースに関する情報を含むUL grant又はActivation DCIを、PDCCHで端末装置１００に送信する（Ｓ５０１）。
【００８９】
図１４は、端末装置１００が基地局装置２００にデータを送信するシーケンスの例を示す図である。なお、特に説明がない場合、図１４における処理Ｓ４００、処理Ｓ４０１、及び処理Ｓ４０３は、図７における処理Ｓ４００、処理Ｓ４０１、及び処理Ｓ４０３と同様である。
【００９０】
端末装置１００は、PRACH preamble（SR）を基地局装置２００に送信したのち（Ｓ４０１）、UL grant又はActivation DCIを受信する前に、続けてSRの付帯情報を含むPUSCHを、基地局装置２００に送信する（Ｓ５０３）。また、基地局装置２００がSRの付帯情報を送信するためのPUSCH向けに複数の端末装置１００に同じ時間周波数リソースを割り当てる場合、SRの付帯情報は、例えば、C-RNTIなどの識別子を含んでもよい。基地局装置２００が各端末装置１００に一意にPRACH preamble（SR）とPUSCH（付帯情報）のリソース割り当てを行う場合、SRの付帯情報として、識別子は含まれなくてもよい。
【００９１】
基地局装置２００は、SRの付帯情報を取得すると（Ｓ５０３）、受信したSRの付帯情報に基づき、無線リソースの割り当てを行う。
【００９２】
そして、基地局装置２００は、割り当てた無線リソースに関する情報を含むUL grant又はActivation DCIを、PDCCHで端末装置１００に送信する（Ｓ５０４）。
【００９３】
第２の実施の形態において、基地局装置２００は、SRの付帯情報を端末装置１００から受信することで、より適切な無線リソースの割り当てを行うことができる。
【００９４】
図１５は、SRの付帯情報を送信する無線リソースの例を示す図である。端末装置１００は、SRの付帯情報を送信するPUSCH用の無線リソースとして、共用無線リソースの一部（Ｒ３）を使用してもよい。共用無線リソースの一部（Ｒ３）は、例えば、PRACHと共用しない共用無線リソースである。
【００９５】
なお、図１５において、端末装置１００は、共用無線リソースＲ３を使用してSRの付帯情報（例えば、BSR）を含むPUSCHを送信しているが、共用無線リソースを使用しなくてもよい。また、SR用の無線リソースとSRの付帯情報用の無線リソースの対応関係は１対１であっても多対１であっても良い。各端末装置１００のSR送信の頻度が少なければ、多対１の設定をすることで、無線リソースを効率的に利用することができる。SRと付帯情報の送信は、例えば、時間的に連続に（SR送信後の直後の無線リソースを使用して）実行される。これにより、端末装置１００は、Unlicensed bandを使用して送信を行う場合、１回のLBTで両方を送信することができ、遅延を減らすことができる。
【００９６】
［その他の実施の形態］
第１の実施の形態及び第２の実施の形態は、組み合わせてもよい。例えば、第１の実施の形態の図６のシーケンスにおいて、端末装置１００は、第２の実施の形態のSRの付帯情報の送信を行ってもよい。
【００９７】
また、データの種別に応じたSRを複数規定し、それぞれのSRについてPUCCH（SR）又はPRACH preamble（SR）を適用することにより、端末装置１００は付帯情報も含んだSRを送信するようにしても良い。
【符号の説明】
【００９８】
１０      ：通信システム
１００    ：端末装置
１１０    ：ＣＰＵ
１２０    ：ストレージ
１２１    ：通信プログラム
１２２    ：ランダムアクセス手順プログラム
１２３    ：共用無線リソース関連プログラム
１２３１  ：共用無線リソース通知受信モジュール
１２３２  ：共用無線リソース送信モジュール
１３０    ：メモリ
１５０    ：ＲＦ回路
１５１    ：アンテナ
２００    ：基地局装置
２１０    ：ＣＰＵ
２２０    ：ストレージ
２２１    ：通信制御プログラム
２２２    ：ランダムアクセス手順制御プログラム
２２３    ：共用無線リソース制御プログラム
２２３１  ：共用無線リソース通知モジュール
２２３２  ：共用無線リソース受信モジュール
２３０    ：メモリ
２５０    ：ＲＦ回路
２５１    ：アンテナ
【図１】
2020136817.tif 000003
【図２】
2020136817.tif 000004
【図３】
2020136817.tif 000005
【図４】
2020136817.tif 000006
【図５】
2020136817.tif 000007
【図６】
2020136817.tif 000008
【図７】
2020136817.tif 000009
【図８】
2020136817.tif 000010
【図９】
2020136817.tif 000011
【図１０】
2020136817.tif 000012
【図１１】
2020136817.tif 000013
【図１２】
2020136817.tif 000014
【図１３】
2020136817.tif 000015
【図１４】
2020136817.tif 000016
【図１５】
2020136817.tif 000017
【国際調査報告】
2020136817.tif 000018
2020136817.tif 000019